(57)【特許請求の範囲】
【請求項１】
クッションボード、伏臥スタンド、腹部マッサージ器、ガーゼ、スプロケットスタンド、プロペラシャフト、スプロケット、チェーン、回転盤、ペダル、ロータースタンド、ローター、スピードモーター、ハンディマッサージャーから構成され、全身的な機能を回復させる主要な治療と、手術、放射線治療、化学治療によりがん細胞を死滅させる補佐的な治療とを併用し、肝がん転移を治療する肝がん転移治療器であって、
クッションボード（１）の中部に、伏臥スタンド（２）が固定され、伏臥スタンド（２）の上に、ガーゼ（４）で覆われる腹部マッサージ器（３）が取り付けられ、プロペラシャフト（１２）とスプロケット（６）とが取り付けられたスプロケットスタンド（５）は、クッションボード（１）に固定されて、プロペラシャフト（１２）の両端に、回転盤（８）が固定され、スプロケット（６）はチェーン（７）と配合して伝動し、ロータースタンド（１０）は、クッションボード（１）の前部の中心の両側に固定されて、その上にローター（１１）が取り付けられ、前記ローター（１１）は円盤形状であって、円盤が水平に取付けられ、前記円盤上に取手を設けて、患者が前記取手を握って前記円盤を回転することができることを特徴とする肝がん転移治療器。
【発明の詳細な説明】
【技術分野】
【０００１】
本発明は医療機器分野に属し、薬物マッサージ、伏臥水平運動による機能回復と、手術、放射線治療及び化学治療との併用で、肝がん転移を治療する医療機器である。
【背景技術】
【０００２】
現代医学では、がんの完治について、早期発見し、早期治療することを期待しているが、９０％以上のがん晩期患者は、がんの転移拡散によって死亡している。その中では、中国では、肝がん患者の死亡率は世界の約半分を占めて、患者の死亡原因はまだ明らかになっていない。医者はがんの進行速度を緩めることができるが、治癒することができない。肝がんの転移拡散を含むがん転移は、がんの完治における最も重要かつ困難な戦いである。なお、これに対して、国内外の多くの専門家や教授は、様々な提案や意見を提出した。以下に摘録する。
【０００３】
「肝がん転移再発の基礎と臨床」上海復旦大学肝がん研究所所長湯▲剣▼猷院士編集、上海科技教育出版社２００３年１月第一版（１６ページ、１９９ページ）において、「未来を展望し、肝がん転移再発研究にあたって、以下のようないくつかの任務がある。（１）肝がん転移に関する遺伝子組成とタンパク質組成を研究すること。（２）有機体（特に、免疫機能）と肝がん細胞生物学特性動態変化との相互関係を研究すること。（３）肝がん転移への有効な介入に関する研究に大きく力を入れて、がん細胞の抑制に着手するとともに、有機体免疫機能の向上も考える。どのような免疫治療でも、他の治療方法、例えば手術、放射線治療、化学治療と、を併用しなければならない。それによって、最大程度の役割を果たすことが可能になる。」「消滅と改造を一挙に」湯▲剣▼猷著、上海科学技術出版社２０１１年８月第一版（前書き、３５ページ、１５６ページ）において、「筆者は、２０年にわたって、肝がん転移再発の研究に携わってきた。がんには、各々の「個性」があるが、その「共通性」は最も重要である。更に高いレベルの哲学的視点から見れば、対立統一、対立面の相互依存や転化等は、必ず抗がんに新たな考え方や新たな視野を提供する。筆者は哲学家ではないが、弁証法から、中国ならではの抗がん方法が見つけられるかもしれないと薄々感じている。将来、全身性介入は、抗がんにおいて極めて重要な役割を果たすことになるだろう。特に、腫瘍をできるかぎり消滅した上で、場合によっては、治療しないことこそ最高の治療である。筆者の意見としては、（肝がん）完治性手術の後は、何もしなくてよい」。
【０００４】
「科技日報」２０１３年１１月２６日４版の「科学技術は生活を変える」において、中国抗がん協会秘書長劉端祺は、「がん患者にとって、単科医療技術は単に脇役に過ぎない。例えば、中晩期手術、新薬の研究開発、放射線治療の改善にとって、新技術の出現等による貢献は副次的な地位（約１０％〜２０％）にある。過去約百年の間、アメリカ人で延びた３０年の寿命のうち、医療技術による効果は僅か５年である。晩期がん治療において、技術レベルに関しては、中国とアメリカとはほとんど差異はなく、現在では、医学は無力といえる。」と指摘した。「健康報」２０１０年７月５日８版の医学コラムによれば、「中西洋医融合で新たな医学システムを創出」において、黒竜江佳木斯臨床医学院王錫民教授は、「現代医学発展の道は、中西洋医理論の統一にある。理論的な問題さえ解決すれば、臨床応用問題も次第に容易に解決できる。」と述べた。「科技日報」２００４年５月８日において、「アメリカ研究者によれば、がん難治の理由ががんという殺し屋があまりにも変化に富んでいるからである。従って、人間は容易に簡単な抗がん治療法を見つけられない。」と報道された。「参考消息」２０１３年８月１日において、「アメリカがん学会の首席医務官であるオーティス・ブラウリーは、「我々は、２１世紀のがん定義を、これまで踏襲してきた１９世紀における定義と置き換えなければならない。」と話した。」と報道された。「現代健康報」２００１年７月１２日において、「紀元前５世紀の古代ギリシャで、西方の「医学の父」とされたヒポクラテスは、「人体は、疾病から自然に回復する。医者は兼ねて哲学にも通じれば、それは神である」という名言がある。」と記された。
【０００５】
本シリーズ発明の従来技術である「がん疾患治療器」は、中国発明特許ＺＬ２００６１００６９９８７．８として、２０１１年６月２９日に特許された。ＰＣＴ国際特許（ＰＣＴ／ＣＮ２００７／００３１３５）は、日本特許第５０４７３０１号として、２０１２年７月２７日に特許された。また、「がん拡散転移治療器」は、中国発明特許ＺＬ２０１２２０４３４６５９．４として、２０１３年３月２７日に特許された。明細書に記載された重大な疾患治療の原理と方法は、中国医学理論をもとに、中国の古代哲学から発展してきた現代哲学と、現代科学との結合を基礎とした全体医学モデルである。がんの構造と機能とが対称的に結合した全体要因は、決定的な役割を果たして、構造部分の要因が主要要因ではない。全体を通じて病因を研究し、がん治療の目標を実現すべきである。それは、現代科学を基礎とする現代医学が主に構造を通じて重大な疾患を治療し、哲学的な理論の基礎に欠けている経験医学モデルと比べて、本質的な差異がある。
【０００６】
従来技術の不足点を以下に述べる。人体の構造は水平運動のために設計されている。伏臥水平運動は、人間の全身の機能を向上し、生命の存在に相応しい基礎である。その中、這う運動と水泳運動は、腹部消化機能を向上させるのに有効で、肝がんの転移や胃腸消化システムがんの転移のリハビリ治療に適切である。従来技術である「肺がん転移治療器」ＺＬ２０１３２０２５４９１３．７として、２０１３年１２月２５日に特許され、仰臥水平運動方式を採用しているが、腹部は重力の影響で運動空間に欠け、腹部消化機能の向上には不利であり、肝がん転移や胃腸システムがん転移のリハビリ治療には適さない。
【発明の概要】
【発明が解決しようとする課題】
【０００７】
本発明は、従来技術が、肝がん転移の機能を回復する治療には不足であり、最終的に全身機能病変によって患者が死亡する原因に注目し、クッションボード、伏臥スタンド、腹部マッサージ器、スプロケット駆動、ローターとハンディマッサージャーで全体の装置を構成し、全身薬物マッサージ、腹部薬物マッサージ、伏臥這う運動と伏臥水泳運動を併用し、全身的な機能回復治療を行う。がん転移の病巣発生段階において、ハンディマッサージャーと、手術、放射線治療、化学治療とを併用し、病巣部位の転移やその周辺のがん細胞を殺すことを主要な手段とし、機能回復することを補佐的手段とする全体治療を通じて、病巣の転移をコントロールし、病症軽減、病変緩和の目標を実現する。肝がん転移発生の死亡段階において、従来技術ではその場しのぎの治療のみ行い、機能回復治療を行わない。この場合、人体における全身機能病変は、患者死亡の主要要因であり、システムがんの転移病巣は副次的要因であるため、本発明は、患者の腹部消化機能病変部位と、関連循環、呼吸機能転落部位において、全身の機能回復を主体として、がん細胞の死滅を補助とする死亡病因に向けた全体的な治療を行い、患者の全身機能病変や死亡を阻止し、死亡率の大幅な削減を実現する。
【課題を解決するための手段】
【０００８】
上述した目的を実現するため、本発明は、クッションボード、伏臥スタンド、腹部マッサージ器、ガーゼ、スプロケットスタンド、プロペラシャフト、スプロケット、チェーン、回転盤、ペダル、ロータースタンド、ローター、スピードモーター、ハンディマッサージャーから構成され、全身的な機能回復のための主要な治療と、手術、放射線治療、化学治療によりがん細胞を死滅させる補佐的な治療とを併用し、肝がん転移を治療する肝がん転移治療器であって、クッションボードの中部に、伏臥スタンドが固定されて、伏臥スタンドの上に、ガーゼで覆われる腹部マッサージ器が取り付けられ、プロペラシャフトとスプロケットとが取り付けられたスプロケットスタンドは、クッションボードに固定されて、プロペラシャフトの両端に、回転盤が固定されて、スプロケットはチェーンと配合して伝動し、ロータースタンドは、クッションボードの前部の中心の両側に固定されて、その上にローターを取り付けられること、患者は腹部マッサージ器（３）に俯せになり電源を入れ、薬物マッサージを受けて、患者の手は回転盤（８）を握って、足をペダル（９）に固定させ、スプロケットスタンド（５）にあるスピードローター（１３）を起動する場合、チェーン（７）を回すことにより、受動的に這う運動を行う一方、スピードローターを起動しない場合、主動的に這う動作を行い、チェーン伝動を利用する前に、腕を小幅にスイングして、這う動作を行い、回転盤（８）から手を離して、ローター（１１）の取手を握って回すと、水泳式運動ができ、水平（プラス）運動した後、患者または医者はハンディマッサージャー（１４）で全身的な薬物マッサージを行い、機械エネルギー、熱エネルギー及び化学エネルギーを輸送し補充することを特徴とする。
【発明の効果】
【０００９】
本発明装置は、主に消化機能の回復と、関連筋肉運動、血液循環、呼吸、免疫、神経等機能低下の治療に用いられる。肝がん転移や消化器における食道がん転移、胃がん転移、直腸と結腸転移の全身機能回復を主とする治療にも利用できる。実際の治療操作において、病変、部位または人によって調整できる。治療原理と治療目標は一致している。
【００１０】
本発明を十分に公開するため、肝がん転移病変の治療に関する原理や技術について、詳しく説明する。
【００１１】
治療原理について
一．人体機能病変はがん転移患者の死亡の主要な原因である。
１．人体機能の低下は人類の寿命が延長せず、疾患が難治する原因である。
人類生命進化発展の歴史において、機能と構造は互いに依存し、作用している。生命機能が消えると、生命構造も次第に解体する。現在、世界で認められる「自然係数」という学説の推算公式に基づき、イギリスの生物学者であるバフォによると、一般の哺乳動物の最高寿命は、成長期の完成期間の５〜７倍に当たる。人類の成長期は、一般的に２０〜２５歳で完成するため、最高寿命は１００〜１７５歳と推定される。現実には、牛、馬または他の動物は、いずれも自然寿命に達するが、人類は自然寿命の半分しか達せず、動物の中では唯一自然寿命に達しない動物である。その原因について、科学者は以下のようにまとめた。
【００１２】
（１）人間の運動方式の変化である。水平運動から直立運動に変わって、心脳の血管負担が増えたため、循環機能の低下、高血圧や心脳血管疾患は、直立方式がもたらす最も深刻な副作用である。
【００１３】
（２）人間の呼吸方式の変化である。人類以外の動物は、いずれも腹式呼吸を取る。人類は直立のため、胸式呼吸を取る。そのため、大部分の肺細胞は長期的に使われずに活力を失ったため、肺活量が少なくなってしまう。
【００１４】
（３）人間の消化機能の変化である。水平運動においては、四肢、腰、背または腹は、共同で運動し、胃腸運動を促し、消化器機能が向上するのに対して、直立運動においては、重力の影響で、内臓が垂れて、胃腸無力症が生じてしまい、消化機能が低下する。
【００１５】
新陳代謝機能は生命活動の存在の基礎である。水平運動から直立運動への変化において、副作用が生じて、全身機能（循環、呼吸、消化等の機能を含む）が低下してしまう。それによって、人類の寿命は延長しがたくなる。これも疾患が難治し、死亡に至る原因である。その中、循環機能の低下による心脳血管病は死亡率一の疾患であり、呼吸機能の低下による肺がんや消化機能の低下による肝がん、胃がん、食道がん、膵臓がん、結腸がん、直腸がん等の消化システムがんは、いずれも患者を死亡させる主要ながん病変である。
【００１６】
消化システム機能病変や関連循環、呼吸、神経、免疫機能の低下は、肝がん転移における病変発展傾向の主要要因であり、治療しないと、がん細胞の死滅効果が低減し、病巣の拡散転移や再発を促し、最終的に全身の機能病変に至って、全身の新陳代謝機能が起動できず患者が死亡する。人体機能は主に機械エネルギーと熱エネルギーから構成されて、エネルギーの主な源は筋肉や肝臓であり、有機体のエネルギー消費の大部分は熱エネルギーの形で体外へ発散し、一部分だけが機械エネルギーの形で出現し、即ち骨格筋として完成する仕様になっている。人体の生命代謝過程においてはエネルギーを消費すると同時に、エネルギーを補充しなければならず、これにより命が続く。
【００１７】
２．人体の機能病変はがん転移過程における死亡要因である。
生命の基本的特徴は、人体自身の新陳代謝機能活動であり、新陳代謝機能が病変すれば命の危険をもたらし、生きた有機体とは切り離せない。機能病変は死亡の原因であるが、構造病変はこの過程を加速する。機能と構造は相互的に依存している。
【００１８】
古代医学や現代医学によって、人体の全身機能病変は、患者死亡の主要な原因である。清の時代の医学者である徐霊貽は、「医学源流記」において、「元気が損なわれない場合、病が重くても死に至らない。元気が損なわれた場合、病が軽くても死に至る」と述べた。「肺がん転移」（アメリカのミシガン大学のＶｅｎｋｅｓｈｗａｒｋｅｓｈａｍｏｕｎｉ等著、宋勇、瀋小昆訳、人民衛生出版社２０１１年６月第一版２８４ページ）の結論部分において、筆者は、「手術、放射線治療、化学治療や各種のがん細胞を死滅させる療法は、がん転移病巣の除去やコントロールに顕著な効果はあるが、局部の大多数の微転移病巣をコントロールしても、なぜ患者の生存状況が改善できないのか、未だにはっきりしていない。それは多くの局部治療を受けたがん転移患者が最終的に病変の全身発展で死亡し、局部破壊によって死んだのではないからだ」と指摘した。中医学の言う元気が損なわれることと西洋医学の言う疾患全身発展とは、全身の機能病変のことであり、人体循環、呼吸、消化等主要な機能がいずれも病変することを指す。上述した内容から、病変の軽重や転移病巣をコントロールできるかどうか等は死亡の主要な原因ではないことが分かる。中国医学においては人体機能が存在すれば、病が重くても患者は死亡しないと主張し、現実に多くの患者はがんとともに生きている。現代医学では、構造によって機能が決められると主張し、構造損傷対抗を主とする治療のみ行い、機能回復を主とする治療を行わない。それは利害半々の部分治療であり、構造要因治療の特徴は、病状の軽減に表面的な効果はあるが、死亡に対しては主要な効果はない。機能要因はエネルギーを補充し、生存を維持し、根治して死亡を阻止するのに主要な役割を果たす。従来技術では、一時的にがん転移病巣をコントロールし、患者の症状を解消できるが、病巣周辺の機能病変に対して治療を行わないので、患者の生存には寄与しない。すなわち病巣周辺病変は、他のシステム機能に浸透し、病変を引き起こし、最終的に全身的な機能病変になり、患者の死亡を招く。
【００１９】
３．哲学理論によると、統一体における対立面は完全に対等であり、主要と副次との区別はない。物事の発展においては、双方の力を比較するには主要や副次はあるが、統一性に制限されて、力の比較の作用範囲や方式は限られる。人体の構造と機能とは相互に依存し、全体として作用し、生命の存在や発展を決めるので、機能と構造が離れるのは部分的な治療であり、部分的量的な変化しか生じておらず、全体の性質的な変化が生じないため、離れれば死に至る。がん転移は全体の規律に基づき発展し、構造部分の規律或いは機能部分の規律に沿って発展することではない。性質構成において、構造と機能には主要または副次の区別はないが、変化過程において、時期、場合、事情によって主要と副次とが交互に入れかわる。機能が変化しない場合、構造が主要となり、構造が変化しない場合、機能が主要となる。病変過程は二つの方面から制限しながら、交互に前へ発展する。病変の因果関係は、時間の前後順序を含んで、一つの現象から必ずもう一つの現象を引き起こすという本質的な繋がりである。従って、がん細胞の死滅を主とする構造治療が終わると、同時に全身機能回復を主とする治療を行い、病変発展の傾向を逆転する。
【００２０】
哲学と科学とを結合して基礎とする重大疾患治療原理や方法に基づき、本発明は、肝がん転移発生と発展原理を示す図、肝がん転移治療原理と技術を示す図、がん転移患者死亡原因と死亡発生過程変化規律を示す図を作成した。上述した図を通じて、肝がん病変発展の各過程や段階を調べることができる。構造と機能、量的変化と質的変化、主要と副次の相互作用の過程や結果であり、中国医学の哲学要因と西洋医学の科学要因は、病理学分野で統一することが可能である。
【００２１】
肝がん転移発生と発展原理を示す図によると、がん晩期は器官構造病変とシステム機能病変が制限し合う結果であり、異なるレベルにおける質的変化である。段階が一つ進むと、システム構造病変がん転移が発生する。当段階で器官構造損傷対抗を補佐治療とし、システム機能回復を主治療とする全体治療を行うと、病変を逆転できて、がん転移の発生を予防できる。システム機能が正常であれば、システム構造病変が発生しない。がん転移の発生は、システム機能病変とシステム構造病変とが制限し合う結果であり、同一レベルにおける量的な変化であり、進行すれば、全身機能病変になる。当段階でシステム機能回復を補佐治療とし、システム構造損傷対抗を主体治療とする全体治療を行うと、がん転移病巣の除去やコントロール、病症の軽減や全身機能病変の緩和はできるが、病変が全身へ進行する傾向は逆転できない。全身機能病変は死亡要因であり、システム構造病変と全身機能低下とが制限し合う結果である。当段階は、異なるレベルの質的な変化による死亡段階であり、この段階でシステム構造損傷対抗を補佐治療とし、全身機能回復を主体治療とする全体治療を行うことは、死亡病因の発生に対する正しい治療であり、病変を逆転し、患者の死亡を阻止できる。構造治療と機能治療とを併用し、全体性が高ければ高いほど、治療の効果が高くなる。全体治療において、治療による副作用はない。構造治療による副作用は機能治療で解決でき、機能治療による副作用は構造治療で解決できる。構造治療と機能治療とが対称的に依存し合う病因に対する全体治療において、他の治療方式や他の構造でも本発明の目的を達成できる。
【００２２】
二．人体機能回復はがん転移患者死亡率を顕著に下げる主要治療である。
従来技術である「がん疾患治療器」、中国発明特許ＺＬ２００６１００６９９８７．８、明細書に、重大疾患治療原理や方法が提出され、機能低下はがん発生の原因であり、がん難治の原因でもあると指摘した。「明細書」第１０ページ第００４２段落に、「肺部の呼吸システム、肝臓、胆、腸、胃および膵臓消化システムは、「がん疾患治療器」を利用して、機能回復する時、酸素吸入水平運動器を利用し、呼吸機能を回復し、血液循環を促進し、内臓マッサージを通じて消化システム機能を回復する。具体的な操作は、「心脳血管疾患治療器」中国出願番号２００６１００６９５５３．８を参照する。」と記載された。「肝がん転移治療器」の治療原理は、既に２００６年に確定されて、全体のがん治療システムの一部分である。その中、「心脳血管疾患治療器」は２０１０年１２月８日に、中国発明特許ＺＬ２００６１００６９５５３．８として特許され、「肝がん転移治療器」は２０１３年１２月２５日に、中国特許ＺＬ２０１３２０２５４９１３．７として特許された。
【００２３】
上述した技術は、仰臥水平伸展運動を通じて循環機能や呼吸機能を回復するが、消化機能の回復に適さない。本発明は消化機能回復の特徴に焦点を当てて、伏臥水平伸展運動と腹部マッサージとを併用し、消化機能の回復や肝臓、胃、胆、腸、膵臓等消化システムがん転移治療に利用できる。具体的な作用方式は以下の通りである。
【００２４】
１．患者が仰向けになる時、腹部消化器官は休息状態に入り、伸展運動やマッサージに適さない。それは、腹部の内臓は重力（地球の引力）によって積み重なる状態になり、十分な伸展空間がないからである。この時、全身の水平運動や腹部マッサージを行うと、消化器官、特に下腹部の腸道器官は、運動空間に欠けて、押圧によって器官構造が緊張し、副作用が生じてしまい、消化機能回復の効果はない。俯せになる時、重力によって、血液、リンパと内臓の位置が変わるため、不均衡な血液の配置を変えることに良く、心臓、肺、肝臓等の消化内臓器官がリラックスした状態になり、十分な伸展空間を有する。この時、水平伸展運動と腹部マッサージを行うと、肝臓鬱血が除去され、器官構造運動が促されて、全身機能回復に顕著な効果がある。伏臥水平運動は人類が生存する本能であり、這う動作療法や水泳運動とほぼ同じ役割を持っている。長期的直立運動によって生じた機能低下に対して、機能回復に顕著な効果があり、運動範囲が広くて安全であり、老人、妊婦または幼児等にも適しており、関節を損なわず、心肺消化機能を強化できる。
【００２５】
２．生物組織の力学性能と外部条件の関係に基づき、腹部内臓は受動組織に属し、仰臥と伏臥による影響は大きい。四肢と背部筋肉は主動組織に属し、仰臥と伏臥による影響は大きくない。
【００２６】
３．伏臥水平伸展運動は、重力の影響により、腹内器官を相互に運動させ、「体内マッサージ」の効果を果たすと同時に、腹部の下に電動マッサージマットレスを取り付けることで、腹部「体内マッサージ」と腹部「体外マッサージ」が促進し合い、共に役割を果たし、腹部消化機能の顕著な向上を実現する。同時に行われる四肢水平伸展運動と腹式呼吸運動は心肺機能の向上に明らかな効果がある。
【００２７】
４．人体レベル機能回復を主体とする治療を行うと同時に、システムレベルでがん細胞を死滅させ、がん転移のコントロールを補佐治療とする肝がん患者に対して、水平伸展運動や水泳運動等の方式を含むフィットネス療法を実施し、患者が完治した例は数多くある。上海復旦大学肝がん研究所所長である湯▲剣▼猷院士は、「中国式抗がん−孫子兵法の知恵」（上海科学技術出版社、２０１４年４月第一版）という本の前書き「（１４５ページ）において、水泳抗がんという新たな言い方は、過去に筆者は言うのに躊躇したが、今はっきりと言うことができる。それは実験研究の発見があるからである。（１４７ページ）において、手術で腫瘍を切り除いた後、残されたがん細胞に対して、水泳で有機体の抗がん能力を向上させることによって、がん細胞が抑制されて、病変できなくなった。（２１２ページ）において、水泳抗がんは確かに効果的である。一人のインドネシア人肝がん患者は、手術から十年後、筆者と面会した。その患者は元気いっぱいで、検査にも何の問題もないと話してくれた。どうやって過ごしたかと聞くと、彼は毎日水泳していると答えた。」と記載されている。
【００２８】
伸展運動は人類の本能であり、自然に回帰し、伸展してリラックスできる水平運動（例えば這う運動、水泳）で直立運動による副作用を低減あるいは除去することができる。伝統中医学における呼吸体操、薬剤マッサージ、気功、誘導、マッサージや鍼灸は、既に千年の歴史を有する。それらの共通の本質的特徴は、呼吸による酸素提供全身伸展運動と自我マッサージとを結合し、全体治療により人体の疾患予防治療器能を明らかに向上させるところにある。
【００２９】
上述のように患者が完治する例は少ないが、その原理と方法は自然規律に基づいた正しい治療方法である。その経験に基づき、理論分析を行い、改善する。機能回復を主体とする治療において、治療の強度及び治療範囲を拡大し、治療方式を増加すれば、その方法の普及や病症の完治も可能になる。これは大多数の肝がん転移患者を救い、死亡率を下げる正しい治療方法である。新技術を利用して、全身機能回復治療は僅か１０分間で完成でき、治療コストは２００人民元にも満たない。家庭内で行われる自我治療の場合、コストは更に低く、更に便利である。本発明を利用して、全身機能回復を主とする治療により、肝がん転移患者の死亡率を大幅に下げることは、がん治療分野において、従来のがん細胞を死滅させる技術を主とする技術者にとっては、予想できないものである。また、同時に、がん転移治療において、機能回復治療は補佐療法に過ぎないという長い間人々からの軽蔑や偏見を破っていた。従来技術では、がん転移は治癒できず、患者の死亡は免れないものと見て、病症を軽減しかできないその場しのぎの治療でしかないという考え方は、哲学理論の指導に欠け、自然規律にも一致せず、一方的で間違った認識である。
【００３０】
三．がん転移患者死亡原因と死亡過程の変化規律について
なぜ９０％以上のがん転移患者は死亡したのか、なぜ多くの転移病巣が治療でコントロールや除去された患者は結果的に全身機能病変で死んだのか、従来技術でなぜ死亡は阻止できないのか、どうやって患者を救うのか、について以下に述べる。
【００３１】
１．患者の死亡原因について、生命の存在基礎は運動にあり、それは哲学理論で言うところの相互作用であり、解剖形態にあるのではない。医学における機能回復治療は、哲学理論を基礎として、治療方向性の確認や疾患発展傾向のコントロールに重点を置く。構造損傷対抗治療は、科学技術を基礎として、主な目的は疾患症状の軽減と病変進行スピードの緩和にある。両方は相互に依存しているが、性質の異なる医学である。９０％のがん転移患者は最終的に高レベルの人体機能病変によって死亡する。従来技術としては、低レベルのシステム構造損傷対抗治療は、高レベル機能病変に制限されて、死亡を阻止できず、治療目標や方向に誤りがあると確定できる。そうでなければ、このように広範かつ普遍的な結果には至らないはずである。現代医学では、患者の死亡は構造損傷と損傷対抗との力を比較することにより、病症が全身構造病変に進行する結果である。手術、放射線治療、化学治療や分子標的薬物を利用して、がん細胞を死滅させ、がん転移病巣を除去する治療を主体とすれば、死亡を阻止できると主張したが、臨床治療から見れば、構造病変は死亡要因ではないことが分かる。死亡過程において、機能が先であり、構造は後であるとされている。生命機能が停止すれば、生命構造も次第に崩れて、その後の全身構造病変の治療は意味をなさない。従って、全身機能病変は死亡要因であり、構造治療は機能治療に変更することはできない。構造治療と機能治療とを併用し、全体治療として、正しい治療法が見つかり、多くのがん転移患者の命を救うという目標も併用によって達成できる。
【００３２】
２．患者死亡過程の変化規律について
物事の根本的な性質変化は、一つの質的形態からもう一つの質的形態への飛躍である。俗に言う「物事は発展して頂点に達すると必ず逆の方向へ向かう」というのもこの原理による。がん転移病変は機能病変から始まり、構造病変へ進行し、構造病変のもとに、また新たな機能病変に転化し、機能病変と構造病変とが繰り返して循環する進行過程であり、普遍的な意味を有する。従って、我々は「がん転移患者死亡原因」を作成し、死亡原因と照らし合せながら、死亡過程変化について説明する。がん転移治療における主要治療と補佐治療は、性質上相互に依存し、対称的に統一されるが、治療強度や治療範囲において主要と副次との区別がある。主要治療は本段階の主要病変を対象として、副次治療は本段階の副次病変を安定させ、主要治療が順調に進行するのを確保する。質と量の相互転化原理に基づき、「機能は構造によって決められる」と「構造は機能によって決められる」という二つの変化方式は、病変発展過程において、異なる段階でそれぞれリードし、異なる役割を果たす。そのうち、「機能は構造によって決められる」という形式は、同レベルの量的変化のがん転移病巣の発生段階に応用され、「構造は機能によって決められる」という形式は、異なるレベルの質的変化のがん転移死亡の発生段階に応用される。
【００３３】
がん転移の多箇所転移病巣の発生段階において、患者のシステム機能病変とは、人体の心脳血管循環機能、呼吸機能と消化機能等の主要機能のうち、一つの重要な機能が病変を起こし、その他の重要機能は病変に至らないが、機能低下状態にある。すべての重要機能は病変状態にある時、それは全身機能病変と言い、患者は死亡段階に入る。がん転移から死亡発生に至る過程は、心脳血管循環機能、呼吸機能、消化機能等の人体主要機能が低下状態から病変に至るまでの過程であり、この過程は長ければ数年、短くて数ヶ月である。この場合、多数の患者の全身機能は健在であり、この時、機能回復を主体治療とし、転移病巣の安定やコントロールを補佐治療とする全体治療を行えば、多数の主要機能が病変しないことが確保できる。この状況において、患者の病は重くても死には至らない。
【００３４】
治療技術について
四．肝がん転移における機能回復治療について
機能回復治療の特徴は、患者の生存状態の改善や患者の延命にあり、全体治療における対称的な構成部分である。治療は機能回復を主体治療とし、構造損傷対抗を補佐治療とする二つの部分からなる。
【００３５】
本発明における機能回復治療とは、消化機能と、関連循環機能、呼吸機能、免疫機能との回復を主とする治療である。以下、それぞれについて述べる。
【００３６】
１．機能回復を主とする治療や技術について
（１）酸素吸入水平伸展運動である。人類の筋肉は二つの基本機能を有する。一つは伸縮能力であり、もう一つは伸展性である。現在の各種のフィットネス運動、例えば、フィットネスワーキング、フィットネスランニング、自転車乗り等の直立運動方式は、主に筋肉の伸縮力を強化する。一方、水平伸展運動の基本的役割は、筋肉をリラックスさせ、筋肉の緊張を緩和する。従って、二つの運動を兼ねることで、健康を維持することができる。本発明の水平伸展運動における上肢運動は、肝臓と胃の消化運動や呼吸動作を増やし、血液の下肢での滞留や心臓拍出量の減少等の状況を予防する。前方に傾けて力を入れる時、腕と胸背部の筋肉の収縮力を強化し、後方に戻る時、リラックスして運動のバランスを保つ。足でペダルを操作する時主に下肢の筋肉の収縮力を強化し、水平に俯せになることで下肢がリラックスする。水平運動による隔膜昇降と腹部筋肉のリラックスや収縮は、胃腸道、肝臓等腹腔内の臓器に良い体内マッサージ効果があり、肝臓及び胃腸道の鬱血を軽減し、消化道の血液循環や消化液の分泌を改善し強化して、消化吸収機能を促進し、血しょう蛋白質の合成を増加し、肝臓の有毒物質の解毒や排出を加速する。同時に、隔膜の活動幅は明らかに拡大し、普通の人より２〜４倍高くなるため、酸素吸入の肺活量が増加し、肺部の気体交換を良くして、呼吸機能も強化される。筋肉が緊張した状態に比べて、リラックスした状態のほうが、血液流量が１０〜１６倍も増加するため、人間が直立すると筋肉の血管は収縮して血圧が向上し、これによって生じた高血圧も治療を受けて、循環機能が強化される。免疫機能と循環、呼吸、消化等の機能は深く関わっており、同時に上昇させることができる。免疫機能と循環、呼吸、消化、運動等のシステム機能とは同じく人体レベル機能の構成部分であり、単独で治療すれば、その効果に限界がある。酸素は人体の組織細胞が必要とする第一のエネルギーであり、細胞酸化率が３５％減少する場合、がんの進行は加速する。酸素療法のポイントは、患者の運動にあり、本発明に用いられる酸素吸入装置は、従来技術を利用し、患者が水平伸展運動を行う時、主体的に酸素を吸入することができ、血液循環を強化し、全身の各組織も酸素を十分利用して動脈酸素分圧を向上させ、全身の体質状態を改善する。例えば、「参考消息」の２０１２年５月５日（アメリカ毎日科学ホームページの５月３日の報道）において、「研究によれば、細胞の酸素不足は腫瘍拡散の主要な要因であり、一旦証明すれば、伝統的ながん治療パターンを覆す可能性がある。なぜ多くのがんは速くて３〜６ヶ月の間で薬剤抵抗性を有するのかを説明できるかもしれない。」と指摘した。
【００３７】
（２）伏臥水平運動におけるマッサージについて
人体消化道の平滑筋は、普通の筋肉が有する共通特徴、即ち、興奮性、伝導性や収縮性を有し、化学、温度、機械牽引等の刺激に敏感である。消化道筋肉は収縮やリラックスすることで運動し、消化機能を完成する。消化機能は全身の代謝機能と密接に連携する。マッサージにより筋肉をリラックスさせた後、血液流量は筋肉が緊張している場合より、１０〜１６倍も向上し、リンパ流動は７倍も増加し、筋肉横断面の一平方ミリメートルあたりの毛細血管の開放数は、３１個から１４００に増えて、かつ微循環の改善を通じて疾患部に薬物を運搬し、吸収を促進する。水平運動において、腹内の肝臓、胃、腸、膵臓、胆、脾臓、腎臓等消化器官は、リズム運動で、互いに接近したり、離れたり、圧縮したり、リラックスしたりして、「体内マッサージ」の作用により、対応する血液、リンパ、脳脊髄液循環及び臓器の位置変化が起こり、このような「体内マッサージ」は、重力の影響で各臓器間で完成するものであり、体外マッサージではその効果を奏することができず、「体内マッサージ」の役割も発揮できない。腹部マッサージ器と「体内マッサージ」は共同で内外マッサージを行い、消化機能回復に明らかな効果がある。ハンディマッサージャーは従来技術の「がん疾患治療器」であり、筋肉マッサージ、皮膚浸透投薬、電気療法による神経機能の回復等を行うことが出来る。人体の局部または全身に対して薬物マッサージを行い、全身機能を増強する。伏臥水平運動装置と腹部マッサージ器とは、二つの異なった機能部分の治療であり、治療目標、治療部分及び治療効果の双方の要因の改善や組み合わせと、全身機能の治療目的、治療効果とを結合し、実質的な治療効果を有する。
【００３８】
（３）機能回復における病症に対する治療について
病症に対する治療とは、肝硬変、肝腹水の治療のことを指す。肝がん転移発生と発展原理を示す図によって、疾患の性質は局部構造的病変と周囲全体機能性病変が制限し合った結果である。構造病変部位（即ち病巣）に対して損傷対抗治療を行い、▲去▼邪類漢方薬、例えば、活血化鬱、解熱解毒を採用する。周辺全体機能病変部位に対して機能回復治療を行い、扶正類漢方薬、例えば、健脾理気、養肝益腎を採用する。内服薬を簡単に位置づけできないが、マッサージや皮膚浸透投薬を通じて、定位治療を行うことができる。皮膚浸透投薬の治療目標は、全身或いは組織の深部にあり、内服薬とは区別される。外用薬液の調製について、漢方薬は従来の内服薬、外用薬剤類の処方に基づき、浸液或いは煎剤を作り、対応する接触剤、浸透促進剤を加えて、均一に攪拌すれば利用できる。製薬も利用でき、例えば、活血化鬱類の活絡油、サフラワー油等である。西洋薬におけるニトログリセリンや消心痛は、いずれも皮膚投薬として使える。治療方法について、治療部位に薬液を塗布して、ハンディマッサージャーを往復移動してマッサージを行い、その治療効果は単なるマッサージまたは薬物塗布より効果が高い。
【００３９】
肝硬変治療において、肝硬変は肝がんの発病基礎であり、肝機能の損害や門脈高圧は主な症状である。よく見られる併発症として、消化道出血、肝腎総合症、腹水、原発性肝がん等がある。定位治療は目的がはっきりしている治療法であり、治療効果が比較的高い。肝構造病変の治療原理は、肝臓の線維化部分が破壊された微循環を改善や再建することである。肝細胞の復活や再生を促進し、肝機能を回復する。治療方法は肝臓病部分に活血化鬱類、解熱解毒類の外用薬液を塗布し、臍部に逐水ペーストを塗る。肝硬変門静脈高圧患者は臍部の周辺に臍透消膨ペーストを塗布し、肝炎後の肝硬変患者は期門、神闕穴周辺に肝硬変漢方薬ペーストを塗布する。治療部位、薬液、ペーストは人によって異なり、ハンディマッサージャーを毎回三分間往復移動してマッサージする。
【００４０】
上述した治療が終わると、肝構造病変周囲の消化システム機能病変、関連循環機能、呼吸機能病変に対して、機能回復の扶正治療を行い、健脾理気、養肝益腎の外用薬物を採用し、背部や腹部の全体に塗布して、マッサージ器で毎回三分間治療を行う。治療する部位が重複する場合、一日おきに治療を行っても問題ない。全体の治療は一日に一回、十五回を一コースとする。
【００４１】
以下に、一部マッサージ用の外用薬液と薬ペーストを紹介する。
（１）肝硬変漢方薬ペーストの処方は、「上海中医学雑誌」の１９９１年第３期からであり、肝炎後の肝硬変に適用できる（門脈高圧によって繰り返し大出血を起こす患者は観察対象に適切ではない）。薬物の構成は、黄▲ぎ▼、当帰、熟地、柴胡、桃仁、三▲稜▼等の漢方薬である。
（２）逐水ペーストの処方は、「陝西中医」の２００３年第７期からであり、肝硬変腹水に適用できる。薬物の構成は、甘逐末、大戟、芫花、氷片はそれぞれ１０gである。調製方法は、粉状に研いで、１００目の篩でふり分けて、生姜汁で糊状にして、利尿剤を利用した上で応用する。
（３）臍透消膨ペーストの処方は、「中国中西医結合雑誌」の２００８年第７期からであり、肝硬変門静脈高圧に適用される。薬物の構成は、莱▲ふく▼子、漢防已、地龍、砂仁（その比は１０：１０：５：５）である。
【００４２】
薬物マッサージ外治法は、目標と効果が明らかであり、副作用がないという特徴を有し、病状が突変する時期の治療に適している。唐代以前、医療においては、外治（理療は外治に属する）と内治（内服薬）はともに重要視された。
【００４３】
２．がん細胞を死滅させ、構造損傷対抗を補佐治療とする。
肝がん転移患者の消化システムと関連システム部位には、既に転移病巣や少量のがん細胞があるため、消化機能と、関連循環または呼吸機能とを回復するとき、がん細胞の増殖や拡散を促進するおそれがある。したがって、機能回復と同時に、がん細胞を死滅させる治療を行わなければならない。
【００４４】
主に以下の数種の方式を利用する。がんに関連するツボへの注射、圧痛点微循環障害箇所への注射、筋肉注射、関節リンパ皮下注射（但し、注射部位は薬物をリンパシステムに入れ、血管に入らないように働きかける）、呼吸器への投薬、皮膚浸透投薬である。
【００４５】
ツボ注射におけるツボ選択の原則について、（１）病が臓腑にあるものは、その背▲兪▼を選び、其合ツボを補佐とする。肝がんは曲泉を選ぶ。（２）解剖部位と照らし合わせて、隣でツボを選ぶ。例えば、肝がんは肝▲兪▼を主要ツボとして、腹水の出る患者は▲兪▼或いは膀胱▲兪▼を補佐として、食欲不振の患者は足三里を補佐として、黄疸の出る患者は胆嚢ツボ等を補佐とする。呼吸器への投薬において、抗がん薬をスプレーにして、水平腹式呼吸運動に応用する。皮膚浸透投薬において、抗がん薬を対応する接触剤や浸透促進剤等に加える。
【００４６】
ツボ抗がん注射液に関して、以下の数種の注射液や注射方法がある。
（１）烏頭注射液である。毎日筋肉注射を１〜２回行い、一回１〜２ｍｌの量で、未だに不良反応はない。臨床では胃がん肝転移や晩期肝がんに応用される。（２）チョレイ多糖である。有機体の免疫機能を向上させ、肝がんへの化学治療の作用を増加し、毎回４０ｍｇ、毎日１〜２回で、方式は筋肉注射である。（３）ビャッカジャゼツソウである。解熱解毒薬に属し、本品を利用する場合、ツボ注射の方が好ましく、肝がんツボ注射に効果がある。（４）メトトレキサート（ＭＴＸ）である。週二回に、毎回１０ｍｇを、４ｍｌの中草薬の注射液で溶かす。３００ｍｇを一コースとする。
【００４７】
同時に、皮膚浸透投薬技術をもって、機能回復やがん細胞の死滅を実現する。従来技術において、漢方薬を含む多くの高分子薬物は、皮膚の角質層に透過できず、皮膚浸透投薬の量が少なく、主に皮膚浸透投薬の面積を拡大することに依存する。目標とする治療は、より小さな面積で投薬の量を向上させ、大分子薬物や漢方薬を利用することである。本発明のシリーズ製品、従来技術である「尿毒症皮膚透析治療器」、中国特許番号ＺＬ２０１２２０５３９７０７．６を利用することができる。当該技術は押圧摩擦投薬や超音波皮膚浸透投薬を併用する。そのうち、超音波の大気作用で大分子薬物を皮膚角質層に透過させ、押圧摩擦輸入機械エネルギーや熱エネルギーで微循環を改善し、薬物への吸収が促進されることにより、上述した問題を解決する。これによって、局部治療器は局部皮膚浸透投薬治療に適応できる。
【００４８】
本発明は、同時にハンディマッサージャーを利用して、患者に全身抗がん薬物マッサージを行う。全身の各部位に約８秒間マッサージをして、８分間で全身薬物マッサージを完成する。治療後、温水で皮膚を洗う。成人の皮膚の総面積は約２平方メートルであり、人体の約三分の一の血液は皮膚を通過し、全身薬物マッサージは抗がん薬物を皮膚通過によって血液循環に入れることができ、全身治療の役割がある。同時に、機械エネルギーと熱エネルギーを輸入し、血液循環とリンパ循環を増強し、薬物吸収を促進し、全身能力を回復し、注射化学治療による全身副作用を解消する。
【００４９】
以下、数種の抗がん皮膚浸透吸収薬物、シクロホスファミド、ビンクリスチン、フルオロウラシルを紹介する。
【００５０】
（１）超音波皮膚浸透吸収（押圧摩擦皮膚浸透吸収を含む）抗がん薬物である。シクロホスファミド、ビンクリスチンを、その特性によって、それぞれに対応するカップリング剤に加えて、均一に攪拌すれば利用できる。例えば、脂溶性薬物をラノリンに加えて、グリースやコールドクリームを調製する。水溶性薬物を水中に溶かして、中草薬を浸液或いは煎剤に調製する。
参考資料として、「常見悪質腫瘍の臨床治療」、劉思海等編集、軍事医学科学出版社、２０１０年１月第一版第２１０ページおよび２１１ページがある。
さらに参考資料として、「治療超音波原理及び応用」、王智彪編集、南京大学出版社、２００８年６月第一版第２４４ページおよび２４５ページがある。
【００５１】
（２）化学治療を行う時、フルオロウラシルは胃腸道を刺激し、副作用があるので、その利用は制限されるべきである。外用方法と用量は、１％〜１０％で、軟膏、膜剤、浸透剤局部塗布、２回／日、一コース１５日、全身薬物マッサージは一日おきに行う。本製品には刺激性があるので、例えば、アカハタ、水膨れ、痛みを伴うことがあり、使用にあたっては損傷した皮膚の周囲健康皮膚に保護措置を取るべきである。ハンディマッサージャーにガーゼがあり、皮膚保護の役割があるため、一般的に副作用はない。フルオロウラシルクリームはフルオロウラシル、白ワセリン、液状パラフィン、グリセリン、セタノール、蒸留水等が加熱溶解で作成される。温度は７０℃〜８０℃である。そのうち、フルオロウラシル原料がない場合、錠剤で代替してもよい。詳細処方および製造法については、「新編薬物外用パンフレット」、王磊等編集、山東科学技術出版社、１９９６年９月第一版、１５４ページ〜１５５ページを参照されたい。
【００５２】
湯▲剣▼猷院士は「消滅と改造を一挙に」という本の第１４５ページにおいて、「手術後、がんが両肺に転移した患者は、退院してから一日おきに、フルオロウラシル２５０ｍｇ（非常に少ない量）の注射治療を受けていた。半年後、患者は非常に元気で、胸部透視の結果も非常に良い。患者の話によると、一日おきに化学治療を受けて、副作用はない。毎日３時間自転車に乗り、咳払いの漢方薬を飲んでいたそうだ。全身状況はがん患者にもたらす効果や治癒後の影響は非常に大きいと考えられる。」と述べた。以上は個別の例であるが、構造損傷対抗を補佐治療として、機能回復を主体治療とするがん転移後の全体治療方向と一致しており、普遍的な意味がある。上述した一日おきにフルオロウラシル２５０ｍｇを注射する方法を参照して、患者に少量の抗がん化学薬物を注射して、全身薬物マッサージ（薬物とは健皮理気、活血化鬱等機能回復の外用薬物のこと）と酸素吸入水平伸展運動で全身機能を向上する。これはがん細胞を死滅させる効果を向上させ、全身化学治療の副作用を解消し、患者死亡率を大幅に減少する正しい治療方法であり、肺がん転移、肝がん転移患者が必要とするコストの低い、効果の良い治療方法である。
【００５３】
五．肝がん転移における構造損傷対抗治療について
構造損傷対抗治療は主体治療である構造損傷対抗治療と補佐治療である機能回復治療との二つに分かれる。
１．消化システムにおける構造損傷対抗を主体治療とする治療について
肺がん転移の消化システムおよび関連システム構造損傷とは、肝部の原発がん病巣が、肝内転移し、肝外血行は肺、副腎、骨、胆嚢に転移し、または、リンパ転移が肝門リンパ腺、膵周囲リンパ腺、胃周囲リンパ腺、大動脈周囲リンパ腺、鎖骨上リンパ節に転移し、かつ近隣の器官を侵すことである。従来技術では、手術、放射線治療、化学治療を通じて構造損傷対抗治療を行う時、機能回復治療は同一病巣部位で手術、放射線治療、化学治療と同じような役割を果たしていないため、全体治療ができず、対称性や全体性を備えない。肝がん転移器官にその場しのぎの治療しか実施できないため、治癒の可能性はない。以下に、機能回復と手術、放射線治療、化学治療との併用についてそれぞれ述べる。
【００５４】
（１）機能回復治療と手術との併用について
従来技術で行われた手術の過程において、対称の機能回復治療がなく、治療方向が間違っている。これは手術後の再発拡散転移が発生する根本的な原因である。手術の作用範囲や具合は、正確な治療方向に従い、全体治療原則に基づいて、機能回復の治療範囲や強度を確定しなければならない。手術損傷対抗治療と機能回復治療とを併用し、それらが促進しあい、全体として肝がん転移に対して治療を行い、再発拡散転移の防止や完治の治療目標を実現し、単に手術に依存するのではない。
【００５５】
手術前３〜５日内に、本発明における酸素吸入水平伸展運動と全身マッサージを行い、漢方薬を飲む。薬物マッサージと内服薬は、いずれも健脾益気類の扶正漢方薬である。例えば、補正益気スープ、四君子スープ、六味地黄スープ等である。機能回復治療は肝機能や全身機能を保護し、改善することができ、手術の順調な進行に寄与する。手術後、歩行と食事ができれば、上述した治療が実施できる。有機体の回復を促進し、手術後の不良反応を軽減し、有機体免疫状況を改善し、再発や転移を減少し、長期的な効果を向上する。上述した治療は手術後長期的に実施することができる。
【００５６】
（２）機能回復治療と放射線治療とを併用について
治療において、従来技術の放射線治療と対照的な機能回復治療がなく、治療に全体性が欠けている。数量の変化によって治療目標をコントロールすることは、基本的には不可能であり、多くの放射線治療患者の結果もそれを証明している。なお、本段落の内容は既に「がん拡散転移治療器」において詳しく論述された。本発明において、定位性機能回復治療を行うことができるため、従来技術による放射線治療する前の５〜１０分に、肝がん原発病巣と骨、副腎、リンパ節等転移病巣との放射線治療部位に、活血化鬱類外用薬物（例えば、活絡油、サフラワー油等）を塗布して、ハンディマッサージャーで１〜３分間の薬物マッサージを行い、機能回復治療を実施する。押圧摩擦と超音波とを結合し、その作用力は内臓組織の深層や骨格の表面に達することができる。その後、数分間の放射線治療を行い、放射線治療の敏感性を向上させ、治療強度を拡大させる。放射線治療が終わってから５〜１０分間に、放射線治療中心周辺に、健脾理気類外復扶正薬物（例えば、黄▲ぎ▼、党参、ビャクジュツ、ブクリョウ、川樸、モッコウ、八月扎等）を塗布した機能低下部位に、ハンディマッサージャーで３分間の機能回復治療の薬物マッサージを行う。正常の細胞回復機能を守り、放射線治療の副作用を減少する。副作用による全身性不適応状況が大きい場合、酸素吸引水平伸展運動と全身薬物マッサージや漢方薬の内服等を行う。使用する薬物は人によって異なり、その需要によって決まる。
【００５７】
（３）機能回復治療と化学治療とを併用する重要性について
従来技術における化学治療方式は多くある。およそ以下の通りである。（１）内服、（２）筋肉注射、（３）静脈注射、（４）静脈衝撃、（５）静脈点滴、（６）動脈注射、（７）腔内注射、（８）鞘内注射、（９）腫瘍内注射、（１０）局部外塗である。現在のがんの化学治療において、人間は化学治療薬をどのように更新しても、量を増加し、コースを伸ばし、投薬経路を変えても、各種化学治療薬を組み合わせても、がんにたいする抑制効果が多少良くなる以外、長期的効果やがん患者の五年生存率について変わりがなく、がんの薬剤抵抗性が原因で、９０％の転移がん治療は失敗に終わっている。自然規律に基づき、人体は構造と機能とが対立的に統一する全体であり、生命運動は物理と化学とが結び合う高級運動形式であるといえる。物質代謝の各過程において、エネルギーの転移が伴っている。がん原発病巣や転移病巣はいずれも、構造病変と機能病変、物理病変と科学病原が、制限し合う全体病変である。全体病変や生命の危機といった重大な局面となった場合、従来技術の構造損傷対抗部分要因を主とする治療と単一化学初級治療技術で、成功する可能性はない。
【００５８】
（４）機能回復と全身化学治療とを併用について
一般的に、化学治療は静脈投薬であり、全身化学治療とも言われる。現に効果が低く、副作用が多いという課題がある。全身化学治療において、静脈点滴の薬物の９５％は全身に作用し、腫瘍病巣に達したのは僅か５％である。要となる病変部位を焦点とした治療を受けていない。従って、効果が低く、副作用が多い。本発明におけるハンディマッサージャーは、押圧摩擦投薬と超音波皮膚浸透投薬とを併用し、分子量５０００以内の化学薬物（例えば、外用フルオロウラシル等）と一部の漢方薬を皮膚の角質層を透過して深層組織に輸送し、体表を通じて、機械エネルギー、熱エネルギーを輸入し、微循環を改善し、機能を回復する。原発がん病巣や転移病巣に対して局部的に全体性治療を行う。本発明におけるハンディマッサージャーにより、全身の健脾理気、活血化鬱、解熱解毒等外服漢方薬薬液を塗布した部位に全身薬物マッサージを行い、薬物の選択は人によって異なる。毎回８分間治療し、化学治療による副作用を除去し、機能回復治療を行う。本発明における病巣局部治療と全身薬物マッサージ治療は、単独で行うこともでき、全身化学治療と共同で行うこともできる。共同治療は静脈点滴治療が終わってから５分間後に本発明の治療を開始する。
【００５９】
（５）機能回復と局部治療との併用について
局部化学治療の肝動脈化学塞栓術(ＴＡＣＥ)は、中国国内において、非手術治療のファーストチョイスとされている。しかし、化学治療の細胞毒性及び一部の患者に肝硬変や門脈高圧が伴っているため、介入療法が長期にわたって実施できなかった。しかも、肝がんは肝内血管に侵入し、肝内伝播は依然として、再発や転移の主要要因である。機能病変や物理病変は化学薬物の効果を制限し、薬剤抵抗性が生じてしまう。単に化学薬物の投薬経路を変えるだけでは、腫瘍化学治療に顕著な効果向上は期待できない。塞栓剤と併用しても、効果向上に限度がある。化学治療で腫瘍を治癒できるかどうかは、主に腫瘍が化学治療に敏感であるかどうか、薬剤抵抗性が生じるかどうかによって決められる。化学治療と同時に、物理技術を用いて、がん細胞病巣部位や病巣周辺部位に対して、対称的な機能回復治療を実施することは、化学治療敏感性を増強し、薬剤抵抗性を除去し、がん細胞死滅の強度を強化し、副作用を減少する正しい方法である。全体治療過程は以下の通りである。肝動脈化学塞栓術(ＴＡＣＥ)の治療が終わってから、治療病巣部位に活血化鬱類外用薬液を塗布し、局部治療器で１〜３分間の治療を行い、病巣微循環を改善し、薬物の吸収を促進する。その後、病巣治療部位周辺より大きな面積に健脾理気類外用薬液を塗布し、ハンディマッサージで３分間薬物マッサージを行い、機能回復の目的を実現する。転移病巣に対して、腫瘍内注射を行うことができ、機能回復治療方法は以上と同様である。
【００６０】
従来技術の全身化学治療と局部化学治療において、機能回復治療がなく、化学治療薬物の使用は一週間であり、休止は二週間である。毎回薬物の使用及びその後の休止をあわせて一コースとし、普通は４〜６コースが必要とされ、約数ヶ月を要する。その目的は正常な細胞の機能を回復させ、次の化学治療のために力を貯めるためである。このように消極的に待つことは治療に必要とされる体力を明らかに軽減し、一番良い治療時期を見逃してしまう。これは化学治療における効果が制限されて、患者が死亡する原因となる。本発明の全体治療において、正常細胞の機能保護や回復は化学治療の過程で完成し、患者の生命の存在基礎である新陳代謝機能は保護されて、消極的に待つことではなく、持続的に治療することにより大きな効果が挙げられて、患者は全体治療過程において死亡することはない。
【００６１】
中医学治療原理によると、外治の理は即ち内治の理であり、外治の薬も即ち内治の薬であるといわれる。本発明の特徴は、ハンディマッサージャーによる機能回復と全身化学治療、局部化学治療の同調作用を切り離してはいけない。切り離すと治療が失敗に終わる。どの化学治療方法を採用しても、同時に対称的な機能回復治療を行わなければならない。これによって、治療方法の正確性や治療目標の実現を確保する。
【００６２】
２．消化システム機能回復を補佐治療とする治療について
手術、放射線治療、化学治療後に行われた機能回復補佐治療において、主に中医学全体機能回復治療方法を利用する。気功、漢方薬及び鍼灸は中医学史上の三大至宝とされる。気功の共通点は、呼吸を調整し、全身活動と自我マッサージとを結び合わせる。本発明における腹部と全身薬物マッサージ、病巣局部透皮投薬、水平伸展運動はいずれも外治法に属し、漢方薬の内服は内治法である。中医学は外治と内治とを並行し、内治の不足を補充すると主張する。内治と外治とを併用すれば、治療効果も明らかに向上し、長期的治療に適している。
【００６３】
漢方薬による肝がん治療は全体から出発し、がん抑制、扶正、病状改善等の効果があり、不良反応は少ない。効果は遅いが、持続性はよい。しかし、瘤体病巣の除去に効果が低く、狙いがはっきりしていない等の欠点があるため、一般的に普通の治療方法の補佐治療として利用される。中国医学は攻、補両法を用いる。攻法はよく活血化鬱、解熱解毒を利用し、補法は補脾、養肝益腎、補気益血等扶正固本法を用いる。人によって方法は異なる。本発明は以下の参考資料に基づき、肝がん中医規範化治療のパターン図を作成した。参考書籍は、「がん転移治療新概念と新方法」、徐澤著、人民軍医出版社、２００６年１月第一版の２２１ページ及び２２３ページであり、「図説肺がん」、張京慧等編集、湖南科学技術出版社、２０１２年１２月第一版、５８ページである。
【００６４】
六．本発明の構造機能と特徴について
本発明において、這う運動による消化機能回復と水泳運動による心肺機能回復が結合して交互に行われる。相互に促進することによって全体作用を果たし、人体の全身機能回復の目標を実現する。一つの運動しか行わないと、全体作用が生じない。人体全身機能にとって、腹部消化機能と胸部心肺機能は互いに依存する整体であり、一部を失うと、全体機能も失われる。
【００６５】
１．本発明は従来技術における座立、仰臥体位のペダル駆動前輪の伝動装置を、伏臥体位のペダル駆動前輪に変更し、人間本能の這う動作に回帰し、人体全身機能回復の需要に適する。腕の運動部分に二つの回転輪を取り付けて、両腕或いは一つの腕の小幅スイングを引き起こし、両足の往復運動と共に水泳動作を構成し、全身機能回復の効果がある。伏臥水平運動において、腹部薬物マッサージャーにより腹部消化機能病変を治療し、ハンディマッサージャーを利用して全身薬物マッサージを行い、全身機能回復の治療目標を実現する。
【００６６】
２．本発明の伏臥水平運動における這う動作、水泳について、這う運動は両腕と両足がバランスよく前後作用し、強度が低く、毎回約１０分間運動すれば良い。腹部内臓の消化機能に作用力が比較的強く、腹部消化器官が収縮やリラックスという「体内マッサージ」運動を促進する。水泳運動は両腕が対称的に円を描くように動き、両足はそろって前後に動き、強度が高く、毎回約５分間運動すれば良い。操作において、ペダルの固定接着点を反対側のペダルと同一の回転方向に調整すれば、両足をそろえて前後運動ができる。水泳運動における両腕の対称円状運動は拡胸動作であり、心臓、肺を押圧したり、リラックスしたりして、心臓活動と胸式呼吸を改善し、心肺機能を向上させる。這う運動と水泳運動において、足部の作用力は比較的大きく、スピードモーターを頼って補助することができる。腕の作用力は比較的小さいため、補助しなくても良い。
【００６７】
３．ハンディマッサージャーにより全身薬物マッサージを行う。ハンディマッサージャーは従来技術の「がん疾患治療器」（中国発明特許ＺＬ２００６１００６９９８７．８、日本特許第５０４７３０１号）である。ハンディマッサージャーは直流電気切入押圧式摩擦ヘッド、低中波静摩擦式摩擦ヘッド、磁片摩擦ヘッド、摩擦ガーゼ等を有し、摩擦生熱、筋肉マッサージ、皮膚浸透投薬、電気治療、磁気治療の役割がある。８秒で局部に効果をもたらし、８分間で全身薬物マッサージを完成し、全身各部位の治療にも適し、人体に熱エネルギー、機械エネルギー、電気エネルギー、磁気エネルギーと化学エネルギーを輸送し、機能回復治療に用いられる。ハンディマッサージャーの摩擦ヘッドの伝動スピードは、高速２０００回／分、低速５００回／分である。摩擦ヘッドの圧力は０．２５ｋｇ〜０．５ｋｇ／平方ミリメートルの時、摩擦生熱、皮膚浸透投薬、ツボ治療に適し、０．５ｋｇ〜２ｋｇ／平方ミリメートルの時、筋肉マッサージ、軟組織に適し、３ｋｇ〜５ｋｇ／平方ミリメートルの時、作用力は深層組織や骨骼表面に達する。高速伝動の時、５秒内で皮膚温度を５０℃〜６０℃に加熱できる。
【００６８】
４．治療原理と特徴について
がん転移病巣発展段階において、がん細胞を死滅させる手術放射線治療化学治療を主とする治療は従来技術の続行であり、機能回復を補佐とする治療はハンディマッサージャーと手術放射線治療化学治療とを併用する。放射線治療前に放射部位にハンディマッサージャーで介入部位（例えば、薬物をもって腫瘍に注射するとき、腫瘍を正確に狙う）を狙いとして、毎回１〜２分間の機能回復治療を行う。全身化学治療において、治療後、ハンディマッサージャーで全身マッサージを行い、機能を回復する。毎回５分間である。または、漢方薬でエネルギーを補充する全身薬物マッサージを毎回５分間行う。補佐的な機能回復治療を実施しない場合、がん細胞を死滅させる主要治療は対称的な安定性の欠落によって、副作用が生じて、治療効果は長く続かず、短時間の治療しかできず、長期的治療を行うことができない。がん転移患者死亡段階において、全身機能回復の主要治療と放射線治療、化学治療でがん細胞を死滅させる補佐治療をともに行う。がん細胞を死滅させる主要治療と比べて、がん細胞を死滅させる補佐治療は、がん細胞死滅の作用強度、範囲を大幅に削減し、作用方式を増加しなければならない。例えば、少量化学治療、介入式化学治療、抗がん薬物の皮膚浸透投薬等、がん転移病巣を安定させて、再発しないように確保する。同様に、がん細胞を死滅させる補佐治療を行わない場合、人体全身機能回復を主とする治療は対称的な安定性の欠落によって、がん細胞に制限されて、持続的長期効果がなく、最終的に治療の失敗の要因となる。
【００６９】
七．現有技術との比較について
１．がん転移病変の治療において、構造治療と機能治療は相互に依存し、ともに作用する。これは自然規律と一致し、患者の完治や生存に適している。従来技術における構造治療と機能治療を切り離し、単独で役割を果たせば、一部の数量変化しか生じず、全体的な性質の変化はなく、自然規律に適さず、最終的に患者を死亡させる。
【００７０】
２．がん転移病巣発生段階において、従来技術は手術、放射線治療、化学治療を主とする治療方式によりがん細胞を死滅させる。しかし、がん転移患者の死亡発生段階において、患者の全身機能病変は既に死亡の主要原因となったが、従来の治療方法は依然として変わらず、機能回復を主とする治療方式を採用せず、本末転倒という問題が存在する。本発明はがん転移患者の死亡発生段階において、機能回復を主とする方式を利用し、この問題を克服した。
【００７１】
３．伏臥水平運動の這う動作、水泳動作は、人類生存の本能的動作であり、人体の構造と一致し、患者を救う基礎である。従来技術における仰臥水平運動は、人類生存の本能的動作ではなく、命を救う基礎的役割がない。従来医療体育における這う運動、水泳運動は、運動時間が長く、体力消耗が大きく、効率が悪い。時間や体力の消耗は多いが、治療効果が遅く、病が重くなる時の治療需要を満たすことができない。本発明は８分間で全身機能治療を完成させ、速くて効果的であり、明らかに治療需要を満たすことができる。
【００７２】
４．従来技術の仰臥水平運動において、背部で薬物マッサージを行うため、腹部の消化機能に直接的な治療効果はない。腹部上方で薬物マッサージを行うと、腹部消化器官構造がん転移組織を押圧し、副作用が生じてしまい、利用できない。本発明の伏臥水平運動において、腹部の下部で薬物マッサージを行い、腹部内臓はリラックスや体内マッサージ状態にある。腹部薬物マッサージは押圧による副作用を減少させるだけではなく、体内外マッサージの組み合わせによって治療効果を明らかに向上させる。
【００７３】
八．まとめ
自然規律が治療方向を指導する哲学理論の研究、それ自体の発展起点は対立的に統一の全体性である。全体性は物事の本質であり、どの部分が外的作用を受けても、全体として反応する。全体は各要素が個別には持っていない性質や機能を有する。疾患に対して全体性の観念が異なると、治療方法や治療結果も異なってくる。現代科学は世界を一つの巨大なレベル序列、地球―生物圏―社会―人間―システム―器官―組織―細胞―分子―原子―基本粒子として認識している。レベル序列において、上下レベルの間に量的な変化から質的な変化へという飛躍が存在し、人間の疾患研究対象を固有のレベル序列において、上方向と下方向という二方向の相互作用からその状態や変化を考査し調整する。しかし、上述のレベル序列は物質の構成レベルであり、物質の運動レベルではなく、構造と機能の対称に相互作用関係を反映できない。自然界の基本規律は対称的であり、マクロからミクロ、宇宙の誕生から各ミクロの亜核反応、全ての自然現象に適応する。人体の解剖状態、生理機能、疾患の発生や発展過程に極めて強いレベル性がある。現代医学は人体機能に対してレベル性の認識に欠けている。上述の物質レベルにおいて、人体のレベル序列に人体生理機能部分のレベル序列がなく、解剖状態の下の構造部分のレベル序列があるのみである。これでレベル内部とレベル間の相互作用や生命運動における構造と機能の全体作用規律を反映することができず、疾患の発生原因、発展傾向過程や正しい治療方向を決定することができない。
【００７４】
従来技術において、構造治療と機能治療とは、性質が異なり、発病部位が異なった治療である。中国古代哲学を基礎とする中国医学は、全体から人体を研究し、人体の規律を把握した上で、機能回復治療を行い、かつそれらを符号化（陰／陽、内／外等）する。現代科学を基礎とする現代医学（西洋医学）は、人体をシステム―器官―細胞―分子に分解し、これらの単位の変化から人体の状態を推測し、実質的な構造性治療を実施する。「中西医の差異と融合」の作者祝世訥は、「中西医を病理学分野で統一に向かせるポイントとなるのは、構造性病変と機能性病変との関係である。病理学分野で未だにうまく解決されていない。」と述べている。本発明における肝がん転移発生と発展原理を示す図、肝がん転移治療原理と技術を示す図、がん転移患者死亡原因と死亡発生過程変化規律を示す図において、中医学の哲学要因と西洋医学の科学要因を一つの整体として、人体の解剖状態、生理機能、疾患発生や発展のレベル性、相互の作用関係等を詳しく分析した。その中で、レベル内部では構造が主体であり、機能が補佐である相互作用の自我運動であり、レベル間では機能が主体であり、構造が補佐である相互関連作用運動である。それは整体の全面的な疾患図である。これらの図において、構造と機能とはそれぞれ独立した特徴や位置を有し、双方の差異や関係が客観的に示されて、肝がん転移の各病変段階はそれぞれの固有のレベル序列に置かれて、上方向と下方向との二方向相互作用からその状態の変化を考査や調整ができる。疾患の発生や発展過程は軽から重へ、低レベルから高レベルという順序を踏むが、治療方向は逆向きの発展過程である。構造が主である変化と機能が主である変化という二つの異なった病変形式は、病変性質によって、病変発展過程の各段階に存在する。
【００７５】
これらの図では、生命の物質レベルにおいて、中医学の機能レベル性と現代医学の構造レベル性が対称的な統一を実現し、がん転移本質に対する全体認識の総括である。従って、がん転移の予防原則や措置が決められる。がんや重大疾患を治療するには、生命物質レベルやレベルの相互作用に正しい解決方法を求めるべきである。一旦その根本的な原因を究明できれば、予防や治療も可能になり、コストも比較的低くなる。生命の構造と機能の関係は哲学と科学の問題である。各レベルでの位置や表現をはっきりすると、構造は各レベル間の空間序列であり、機能は各レベル及びレベル間の運動序列である、双方は物質構成や物質運動という相互依存の全体作用関係にあるとまとめることができる。哲学と科学の結合を基礎とする全体治療パターンで、新たな病理学の基礎理論を構築することができる。機能や構造の主次関係相互転化の規律に基づき、機能回復治療を主とする中医学は、がん転移治療における患者死亡率を大幅に下げる主要方法として、将来医学の発展で主導的地位を占めるべきである。有名な科学者銭学森は「中医理論に多くのシステム論が含まれている。これは西洋医にはないものである。中医学の現代化は医学発展の正しい道である。それによって、医学の発展が促進されるだけではなく、最終的に科学技術システムの改造―科学革命を引き起こすことになる」（「中西医学の差異と融合」、祝世訥著、人民衛生出版社、２０００年１１月第一版第２３６ページを参照）と述べている。
【００７６】
人体観の変化から科学や認識に際限がないことが分かる。医学発展が獲得したすべての成果は、人間の人類生命認識という大河の一段階に過ぎず、静止の考え方は間違っている。
【図面の簡単な説明】
【００７７】
【図１】本発明における肝がん転移治療器の正面図である。
【図２】図１における治療器の平面図である。
【図３】ハンディマッサージャーである。
【図４】肝がん転移発生と発展原理を示す図である。
【図５】肝がん転移治療原理と技術を示す図である。
【図６】がん転移患者死亡原因と死亡発生過程変化規律を示す図である。
【図７】肝がん中医規範化治療パターン図である。
【発明を実施するための形態】
【００７８】
本発明における図１に示す肝がん転移治療器の具体的な構成は、クッションボード１、伏臥スタンド２、腹部マッサージ器３、スプロケットスタンド５、スプロケット６、チェーン７、回転盤８、ペダル９、ロータースタンド１０、ローター１１である。図２に示す肝がん転移治療器の具体的な構成は、ガーゼ４、回転盤８、プロペラシャフト１２、スピードモーター１３である。図３に示すのはハンディマッサージャー１４である。
【００７９】
肝がん転移治療器は、クッションボード、伏臥スタンド、腹部マッサージ器、ガーゼ、スプロケットスタンド、プロペラシャフト、スプロケット、チェーン、回転盤、ペダル、ロータースタンド、ローター、スピードモーター、ハンディマッサージャーから構成される。人体の全身的な機能を回復させる主要な治療と、手術、放射線治療、化学治療によりがん細胞を死滅させる補佐的な治療とを併用し、肝がん転移を治療する。その特徴としては、クッションボード（１）の中部に、伏臥スタンド（２）が固定され、伏臥スタンド（２）の上に、ガーゼ（４）が覆われる腹部マッサージ器（３）が取り付けられ、プロペラシャフト（１２）とスプロケット（６）とが取り付けられたスプロケットスタンド（５）は、クッションボード（１）に固定されて、プロペラシャフト（１２）の両端に、回転盤（８）が固定され、スプロケット（６）はチェーン（７）と配合して伝動し、ロータースタンド（１０）は、クッションボード（１）の前部の中心の両側に固定されて、その上にローター（１１）が取り付けられる。患者は腹部マッサージ器（３）に俯せになり電源を入れ、薬物マッサージを受けて、患者は手で回転盤（８）を握って、足をペダル（９）に固定させ、スプロケットスタンド（５）におけるスピードローター（１３）を起動する場合、チェーン（７）を回すことにより、受動的に這う運動を行う一方、スピードローターを起動しない場合、主動的に這う動作を行い、チェーン伝動を利用する前に、腕を小幅にスイングして、這う動作を行い、回転盤（８）から手を離して、ローター（１１）の取手を握って回し、水泳式運動ができ、水平（プラス）運動した後、患者または医者はハンディマッサージャー（１４）で全身的な薬物マッサージを行い、機械エネルギー、熱エネルギー及び化学エネルギーを輸送し補充する。
【００８０】
治療方法に関する具体的な操作手順は以下の通りである。
肝がん転移発生と発展原理を示す図によって、肝がん転移の病巣発生段階において、本発明では、まずハンディマッサージャーと手術、放射線治療、化学治療とを全体として、肝がん転移病巣部位やその周辺がん細胞を殺すことを主要な手段として、機能回復することを補佐的な手段とする全体的な治療を行う。転移した病巣を安定しコントロールした後、肝がん転移発生の死亡段階において、伏臥水平運動、腹部薬物マッサージとハンディマッサージャーを併用し、消化機能病変部位と、関連循環、呼吸、免疫、神経など機能低下部位において、全身機能回復を主体として、がん細胞の死滅を補佐とする全体治療を行い、全身機能病変の発生を予防し、死亡発生を阻止する。
【００８１】
１．機能回復と放射線治療とを併用
従来技術における放射線治療を開始する５分前に、原発病巣、転移病巣の放射線治療部位に、活血化鬱類の外用薬物を塗布して、ハンディマッサージャーで１〜２分間のマッサージをして、機能回復治療を行ってから放射線治療を実施する。放射線治療が終わってから３〜５分後に、放射線治療中心周辺の機能が低下した部位に、健脾理気類の外用薬物を塗布して、ハンディマッサージャーで１〜２分間のマッサージをして、機能回復治療を行う。
【００８２】
２．機能回復と局部化学治療とを併用
肝動脈化学塞栓術（ＴＡＣＥ）治療が終わってから、治療病巣部位に活血化鬱類の外用薬液を塗布し、ハンディマッサージャーで１〜２分間治療して、病巣の微循環を改善し、薬物の吸収を促進し、その後、病巣治療部位周辺の比較的大きな面積に健脾理気類の外用薬液を塗布して、ハンディマッサージャーで１〜２分間のマッサージをして、機能回復の目的を達成する。転移病巣に対して、腫瘍内介入注射を利用することができる。機能回復治療方法は上記と同様である。
【００８３】
３．機能回復と全身化学治療とを併用
全身化学治療が終わってから５分以内に、患者の胸腹部、腰背部と四肢部に、健脾理気、活血化鬱、解熱解毒等の外用漢方薬薬液を塗布し（薬物の選択は、人によって異なる）、本発明のハンディマッサージャーで全身薬物マッサージして、一回に８分間で、全身における化学治療の副作用を除去する機能回復治療を行う。
【００８４】
転移病巣が除去やコントロールされるかどうか、病態が重くなるかどうか、がん転移患者は遅かれ早かれ肝がん転移による死亡段階に入り、全身機能病変という死亡要素に直面しなければならない。この時、転移病巣構造変化は比較的安定した段階にあり、要となるのは全身機能病変の進行である。従って、必ず全身機能回復を主体として、がん細胞の死滅という補佐治療を実施し、全身機能の増強に適した大型治療装置を利用しなければならない。
【００８５】
４．機能回復における肝硬変、肝腹水と消化機能、循環、呼吸機能病変治療
外用健脾理気、養肝益腎、肝硬変漢方薬ペースト、逐水ペースト、活血化鬱、解熱解毒等の漢方薬外用薬液と、ニトログリセリンや消心痛等西洋薬とが利用される。治療部位に薬液を塗布して、ハンディマッサージャーで往復移動してマッサージする。治療は一日に一回で、一回で１〜３分間で、１５回を一コースとする。
【００８６】
５．機能回復である主要治療と化学治療とを併用
伏臥水平運動の這う動作、水泳動作、腹部薬物マッサージ及び全身薬物マッサージを利用して、全身的機能回復である主要治療を行う。毎回１０分間で、一日おきに実施すると同時に、一日おきにフルオロウラシルを２５０ｍｇ注射する。或いは、分子標的抗がん薬物を少量注射する。治療順序として、化学治療が終わってから機能回復治療を実施する。本治療方法は長期的に実行できる。
【００８７】
６．機能回復と薬物注射、皮膚浸透投薬とを併用
烏頭注射液、チョレイ多糖、ビャッカジャゼツソウ、メトトレキサート（ＭＴＸ）等ツボ抗がん薬物注射液を一日に一回利用する。注射剤の量、注射部位等については説明書を参照する。転移病巣部位に、フルオロウラシル外用薬液を皮膚浸透投薬やマッサージ治療を行う。一日に一回、一回に１〜３分間、１５日間を一コースとする。薬液の成分、使用方法については説明書を参照する。上述したがん細胞を死滅させる治療を行うと同時に、全身の機能回復を主要治療とする治療を実施する。がん細胞を死滅させる補佐治療における化学治療の副作用の強度を低減し、治療回数やコースを増やし、患者の機能回復状況によって長期的に行う。治療において、患者の病状、体質によって薬物量、水平運動やマッサージの作用強度を決める。治療中や治療コースが終わってから、構造や機能という二重基準で全体を検査する。構造検査は従来の技術基準に基づき、機能検査は患者の機能回復具合や生活品質状態に基づく。
【００８８】
本発明における実施例
這う運動と水泳運動は、機能回復性質を備える医療体育運動である。多くの患者はこれらの医療体育運動のおかげで完治した。本発明における腹部マッサージ器は、「マッサージ治療器」、中国発明特許ＬＺ９８１１０３０５．７であり、当該製品は山東省食品薬物監督管理局に許可されて、魯薬管械（試）字第２０００第２０２００４４文号を獲得し、青島市立病院、青島市中医病院、青島市腫瘍病院、青島市第三人民病院で長年使われてきた。臨床効果が顕著で、患者（がん患者）に広く利用される。本発明は伏臥水平運動装置を利用し、這う動作、水泳医療体育と、腹部マッサージ、ハンディマッサージャー全身薬物マッサージとを併用し、全体作用を通じて人体の全身機能を回復し、従来技術における医療体育、マッサージ療法の作用力を大幅に向上させ、がん転移患者の機能回復や完治の治療需要を満たす。
【図１】
0006492170.tif 000002
【図２】
0006492170.tif 000003
【図３】
0006492170.tif 000004
【図４】
0006492170.tif 000005
【図５】
0006492170.tif 000006
【図６】
0006492170.tif 000007
【図７】
0006492170.tif 000008